(57)【要約】      （修正有）【課題】歯磨き剤チューブのキャップを無くし、ワンタッチで剤の注出を可能にする。【解決手段】扇型の歯磨き剤チューブ内にＵ字型バネ１１を内蔵した物。注出口を鳥の嘴状にし二本の指でつまむ部分をのばしチューブ上下の縁とした。それを押さえ注出した後力をぬくと注出口が閉じキャップとなる。以上の構造により、キャップレスを可能にした歯磨き剤のチューブである。【選択図】図４
0003127675.tif 000002
【実用新案登録請求の範囲】
【請求項１】
歯磨きチューブの口の部分（１）（２）が（６）（７）をはさんで押す事により開き、チューブ（８）内の歯磨き剤を押し出し離すと口（１）（２）が閉じ剤の注出が止まる
【請求項２】
支点（４）を作用点（６）（７）に力を加え嘴状注出口（１）（２）を開かせる
【請求項３】
内蔵された上下部（６）（７）を結ぶＵ字型プラスチック部（１１）がバネの作用をする
【請求項４】
上記（請求項３）に付けられたストロー状注出口（１３）より出た歯磨き剤は、口上部（１）のおりる事で切られ止められる
【請求項５】
使用時フック（９）をスライドさせる事により空気口（１０）があき注入された空気の圧力により歯磨き剤の注出を助ける
【考案の詳細な説明】
【考案の詳細な説明】
【考案に属する技術分野】
【０００１】本発明は歯磨き剤のチューブからキャップを無くしワンタッチで使用するために関するものである
【背景技術】
【０００２】従来の歯磨き剤チューブのキャップはネジ状のものからキャップを押さえ取りはずせるものにと改良された
【考案が解決しようとする課題】
【０００３】従来のキャップ付き歯磨き剤を使用する時次のような問題点があった。
口の部分及びキャップ内に付着した歯磨き剤が乾燥しよごれやすかった
本発明はその問題点を解決した
【課題を解決する手段】
【０００４】歯磨き剤が出る口を鳥の嘴状（１）（２）にし黒目（４）を支点（ちなみに白目（５）部分は透明で残量確認ののぞき窓とする）
（６）（７）を作用点としてそれをはさんで押す事により扇形の袋状チューブに内蔵された歯磨き剤が押し出され
手をはなす事で口（１）（２）が閉じ歯磨き剤の注出が止まる
本発明は以上の構造によりキャップレスを可能にした歯磨き剤のチューブである
【考案を実施するための最良の形態】
【０００５】  以下、本発明の実施の形態を説明する
（イ）  歯磨きチューブの口を嘴状（１）（２）にする
（ロ）  扇型の本体（８）をかこむ上下の縁（６）（７）を親指と人差し指ではさみ押す事により内部の歯磨き剤を注出する
（ハ）  上下の縁（６）（７）にかけた力をゆるめる事により嘴（１）（２）が閉じ歯磨き剤の注出を止める
本発明は以上の構成よりなる。
【考案の効果】
【０００６】本考案を使用すると衛生面のみならず片手で操作可能なためいそがしい朝など時間の短縮になり老人や幼児にも使い易い
【図面の簡単な説明】
【図１】本考案の斜視図
【図２】本考案の断面図
【図３】本考案の要部拡大の正面図
【図４】本考案の使用状態の図
【符号の説明】
（１）    嘴状注出口上部
（２）    注出口下部
（３）    ゴム状の伸縮する部分
（４）    支点となる部分
（５）    透明な残量のぞき穴
（６）    作用点となる上部縁
（７）    同下部縁
（８）    歯磨き剤の入る扇形チューブ
（９）    スライド式壁かけフック
（１０）  空気口（９）をスライドさせる事によりあく
（１１）  Ｕ字型バネ
（１２）  注出ノズル
【図１】
0003127675.tif 000003
【図２】
0003127675.tif 000004
【図３】
0003127675.tif 000005
【図４】
0003127675.tif 000006
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
歯磨きチューブの胴体と一体となる嘴状注出口上部（１）・注出口下部（２）が作用点となる上部縁（６）・同下部縁（７）を洗濯バサミの様に挟んで摘む事により、鳥の嘴の様に開き、歯磨き剤の入る扇形チューブ（８）内の剤を押出し、絞る力を解除すればその嘴状注出口上部（１）・注出口下部（２）が閉じるキャップレスワンタッチの歯磨きチューブである。
【請求項２】
支点となる部分（４）を、作用点となる上部縁（６）・同下部縁（７）に親指と人差し指で挟んで力を加える事により、嘴状注出口上部（１）・注出口下部（２）を開かせ、内部の歯磨き剤を押出すことを特徴とする請求項１記載の歯磨きチューブである。
【請求項３】
内臓された作用点となる上部縁（６）・同下部縁（７）を結ぶＵ字型バネ（１１）が、押したり戻したりする力を助けることを特徴とする請求項１記載の歯磨きチューブである。
【請求項４】
Ｕ字型バネ（１１）に付けられたストロー状の注出ノズル（１２）より押出された歯磨き剤は、親指と人差し指の力を抜き、絞る力を解除する事で嘴状注出口上部（１）が閉じる事で切られ止められ、嘴状注出口上部（１）・注出口下部（２）がキャップの役目をする事を特徴とする請求項１記載の歯磨きチューブである。
【請求項５】
スライド式壁かけフック（９）は通常、洗面化粧台の鏡に吸盤等で下向きに吊し、歯磨き剤を注出口の近くに溜める。
スライド式壁かけフック（９）をスライドさせる事により空いた空気口（１０）は、入った空気圧によりそれを助ける事を特徴とする請求項１記載の歯磨きチューブである。
【手続補正２】
【補正対象書類名】明細書
【補正対象項目名】全文
【補正方法】変更
【補正の内容】
【考案の詳細な説明】
【考案に属する技術分野】
【０００１】本発明は歯磨き剤のチューブからキャップを無くしワンタッチで使用するために関するものである
【背景技術】
【０００２】従来の歯磨き剤チューブのキャップはネジ状のものからキャップを押さえ取りはずせるものにと改良された
【考案が解決しようとする課題】
【０００３】従来のキャップ付き歯磨き剤を使用する時次のような問題点があった。
口の部分及びキャップ内に付着した歯磨き剤が乾燥しよごれやすかった
本発明はその問題点を解決した
【課題を解決する手段】
【０００４】歯磨き剤が出る口を鳥の嘴状（１）（２）にし黒目（４）を支点（ちなみに白目（５）部分は透明で残量確認ののぞき窓とする）
（６）（７）を作用点としてそれをはさんで押す事により扇形の袋状チューブに内蔵された歯磨き剤が押し出され
手をはなす事で口（１）（２）が閉じ歯磨き剤の注出が止まる
本発明は以上の構造によりキャップレスを可能にした歯磨き剤のチューブである
【考案を実施するための最良の形態】
【０００５】  以下、本考案の実施の形態を説明する。
（イ）  歯磨きチューブの口を嘴状にする。
（ロ）  歯磨き剤の入る扇形チューブ（８）をかこむ作用点となる上部縁（６）・同下部縁（７）を親指と人差し指ではさみ押す事により内部の歯磨き剤を注出する。
（ハ）  作用点となる上部縁（６）・同下部縁（７）にかけた絞る力を解除する事により嘴状注出口上部（１）・注出口下部（２）が閉じ歯磨き剤の注出を止める。
本考案は以上の構成よりなる。
【考案の効果】
【０００６】  本考案を使用すると衛生面のみならず片手で操作可能なためいそがしい朝など時間の短縮になり老人や幼児にも使い易い。
【図面の簡単な説明】
【０００７】
【図１】  本考案の斜視図
【図２】  本考案の断面図
【図３】  本考案の要部拡大の正面図
【図４】  本考案の使用状態の図
【符号の説明】
【０００８】（１）      嘴状注出口上部
（２）      注出口下部
（３）      ゴム状の伸縮する部分
（４）      支点となる部分
（５）      透明な残量のぞき穴
（６）      作用点となる上部縁
（７）      同下部縁
（８）      歯磨き剤の入る扇形チューブ
（９）      スライド式壁かけフック
（１０）    空気口  スライド式壁かけフック（９）をスライドさせる事によりあく
（１１）    Ｕ字型バネ
（１２）    注出ノズル
【手続補正３】
【補正対象書類名】図面
【補正対象項目名】全図
【補正方法】変更
【補正の内容】
【図１】
0003127675.tif 000007
【図２】
0003127675.tif 000008
【図３】
0003127675.tif 000009
【図４】
0003127675.tif 000010
【手続補正書】
【提出日】平成18年4月3日(2006.4.3)
【手続補正１】
【補正対象書類名】実用新案登録請求の範囲
【補正対象項目名】請求項５
【補正方法】削除
【補正の内容】
【手続補正書】
【提出日】平成18年6月5日(2006.6.5)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
歯磨きチューブの胴体と一体となる嘴状注出口上部（１）・注出口下部（２）が作用点となる上部縁（６）・同下部縁（７）を洗濯バサミの様に挟んで摘む事により、鳥の嘴の様に開き、歯磨き剤の入る扇形チューブ（８）内の剤を押出し、絞る力を解除すればその嘴状注出口上部（１）・注出口下部（２）が閉じるキャップレスワンタッチの歯磨きチューブである。
【請求項２】
支点となる部分（４）を、作用点となる上部縁（６）・同下部縁（７）に親指と人差し指で挟んで力を加える事により、嘴状注出口上部（１）・注出口下部（２）を開かせ、内部の歯磨き剤を押出すことを特徴とする請求項１記載の歯磨きチューブである。
【請求項３】
内臓された作用点となる上部縁（６）・同下部縁（７）を結ぶＵ字型バネ（１１）が、押したり戻したりする力を助けることを特徴とする請求項１記載の歯磨きチューブである。
【請求項４】
Ｕ字型バネ（１１）に付けられたストロー状の注出ノズル（１２）より押出された歯磨き剤は、親指と人差し指の力を抜き、絞る力を解除する事で嘴状注出口上部（１）が閉じる事で切られ止められ、嘴状注出口上部（１）・注出口下部（２）がキャップの役目をする事を特徴とする請求項１記載の歯磨きチューブである。